(57)【特許請求の範囲】
【請求項１】
複数のアプリケーション・デバイスを具備する電気及び／又は電子システムを制御する方法であって、
該システムのマイクロホンを用いて、音声化されたコマンドの形式の制御情報入力を検出することと、
前記システムのプロセッサを用いて、前記検出された制御情報を識別することと、
前記検出された制御情報が、曖昧か、曖昧でないかを、前記プロセッサを用いて、自動的に決定することと、
前記制御情報が曖昧でない場合において、
対象アプリケーション・デバイスまたは、前記制御情報と関連する複数のアプリケーション・デバイスを自動的に識別することと、
前記制御情報が曖昧である場合において、
ａ）前記制御情報が複数のアプリケーション・デバイスに適用可能ならば、少なくとも１つの適用すべきアプリケーション・デバイスの選択、および、対象アプリケーション・デバイスの内部の複数の機能に適用可能ならば、適用すべき機能の選択、の表示をさせることと、
ｂ）前記制御情報が曖昧でなくなるような選択の標示を受信することと、
前記システムのプロセッサを用いて、前記検出された制御情報に対応するアプリケーション・デバイスにおける制御を実行することと、を具備する方法。
【請求項２】
前記検出された制御情報入力を確認するためのアナウンスまたは表示として、前記検出された制御情報が戻り信号伝送されることを特徴とする、請求項１に記載の方法。
【請求項３】
前記検出された制御情報が二以上のアプリケーション・デバイスと関連するとの決定に基づいて、
前記検出された制御情報が関連するアプリケーション・デバイスのリストを提供し、
該リスト上での一つのアプリケーション・デバイスの選択を可能にすることを特徴とする、請求項２に記載の方法。
【請求項４】
確実に解釈できない、検出された制御情報入力には、戻り信号伝送において対応してマークがされることを特徴とする、請求項２または請求項３に記載の方法。
【請求項５】
前記検出された制御情報が、要求された動作を実行することができるようにする上で完全であるかを決定することを更に具備し、
前記決定が、該検出された制御情報は不完全であるとの場合、該検出された制御情報を完全にするための要求がなされる、請求項１から請求項４までのいずれか１項に記載の方法。
【請求項６】
前記検出された制御情報入力が１つ又は複数のキーワードを具備し、
前記検出された制御情報に対応する制御機能と、前記検出された制御情報が対応するアプリケーション・デバイスと、を決定する目的のための記憶されたキーワードのデータベースと、該１つ又は複数のキーワードが比較されることを特徴とする、請求項１から請求項５までのいずれか１項に記載の方法。
【請求項７】
記憶されたキーワードの前記データベースが、該記憶されたキーワードに対応する使用可能なアプリケーション・デバイス、制御命令、及び制御パラメータについての関連付けを含むことを特徴とする、請求項６に記載の方法。
【請求項８】
前記制御パラメータがリストとして記憶されることを特徴とする、請求項７に記載の方法。
【請求項９】
制御を受けるアプリケーション・デバイス用のダミーコード及び前記制御命令を実行する各場合に必要とされる前記制御パラメータと共にデータ記録として制御命令が記憶されることを特徴とする、請求項７または請求項８に記載の方法。
【請求項１０】
複数のアプリケーション・デバイスを有するシステムを制御する方法であって、該システムのマイクロホンを用いて、制御情報が口語のコマンドの形式である制御情報入力を該システムで検出することと、
該システムのプロセッサを用いて、前記検出された制御情報入力を識別し、
前記検出された制御情報が、曖昧か、曖昧でないかを、前記プロセッサを用いて、自動的に決定することと、
前記制御情報が曖昧でない場合において、
対象アプリケーション・デバイスまたは、前記制御情報と関連する複数のアプリケーション・デバイスを自動的に識別することと、
前記制御情報が曖昧である場合において、
ａ）前記制御情報が複数のアプリケーション・デバイスに適用可能ならば、少なくとも１つの適用すべきアプリケーション・デバイスの選択、および、対象アプリケーション・デバイスの内部の複数の機能に適用可能ならば、適用すべき機能の選択、の表示をさせることと、
ｂ）前記制御情報が曖昧でなくなるような選択の標示を受信することと、
前記検出された制御情報に対応する制御機能を自動的に実行することと、による方法。
【請求項１１】
前記検出された制御情報入力が未知か、曖昧か、不完全である場合、更なる情報のためのプロンプトを提供すること、を更に具備する、請求項１０に記載の方法。
【請求項１２】
少なくとも一つのアプリケーション・デバイスを有する一組のアプリケーション・デバイスと、音声化されたコマンドの形式の制御情報入力を検出する入力デバイスと、
を具備するシステムであって、
前記システムは、該検出された制御情報を識別し、
前記検出された制御情報が、曖昧か、曖昧でないかを、自動的に決定するように構成され、
前記システムは、前記制御情報が曖昧でない場合において、
対象アプリケーション・デバイスまたは、該制御情報と関連する複数のアプリケーション・デバイスを自動的に識別するように構成され、
前記システムは、前記制御情報が曖昧である場合において、
ａ）前記制御情報が複数のアプリケーション・デバイスに適用可能ならば、少なくとも１つの適用すべきアプリケーション・デバイスの選択、および、対象アプリケーション・デバイスの内部の複数の機能に適用可能ならば、適用すべき機能の選択、の表示をさせ、
ｂ）前記制御情報が曖昧でなくなるような選択の標示を受信するように構成され、
前記システムは、該検出された制御情報が単一のアプリケーション・デバイスと関連する場合、関連するアプリケーション・デバイスにおいて制御命令を実行するように構成される、システム。
【請求項１３】
ユーザに情報を出力する出力デバイスを更に具備し、
前記システムは、前記検出された制御情報が未知か、曖昧か、不完全である場合、該出力デバイスを介して、ユーザからの追加の制御情報を要求するように動作する、請求項１２に記載のシステム。
【請求項１４】
少なくとも一つのアプリケーション・デバイスを含む一組のアプリケーション・デバイスを有するシステムのユーザ用のインタフェースであって、
前記インタフェースは、永久的な予め定められたメニュー構造とは独立に、音声化されたコマンドの形式の制御情報を検出する入力デバイス、を具備し、
前記システムは、前記検出された制御情報を識別し、
前記検出された制御情報が、曖昧か、曖昧でないかを、自動的に決定し、
前記制御情報が曖昧である場合において、
ａ）前記制御情報が複数のアプリケーション・デバイスに適用可能ならば、少なくとも１つの適用すべきアプリケーション・デバイスの選択、および、対象アプリケーション・デバイスの内部の複数の機能に適用可能ならば、適用すべき機能の選択、の表示をさせ、
ｂ）前記制御情報が曖昧でなくなるような選択の標示を受信し、
前記検出された制御情報に対応するコマンドを実行するように動作するインタフェース。
【請求項１５】
前記検出された制御情報の確認として前記検出された制御情報が戻り信号伝送される請求項１４に記載のインタフェース。
【請求項１６】
前記検出された制御情報入力が一以上のコマンドとして解釈されうるとき、前記一以上のコマンドが選択リストとして戻り信号伝送される、請求項１５に記載のインタフェース。
【請求項１７】
前記検出された制御情報入力が確実に解釈され得るものでないとき、
前記検出された制御情報に不確実とのマークをした戻り信号が提供される、請求項１５に記載のインタフェース。
【請求項１８】
前記検出された制御情報が、要求された動作を実行することができるようにする上で完全かどうかのチェックがなされ、
前記検出された制御情報が不完全である場合、完全な制御情報を要求するためのプロンプトが提供される、請求項１４に記載のインタフェース。
【請求項１９】
前記検出された制御情報が一つ又は複数のキーワードの形式であり、
各キーワードが、前記一つ又は複数のキーワードと関連するアプリケーション・デバイスを決定するための記憶されたキーワードと比較される、請求項１４に記載のインタフェース。
【請求項２０】
使用可能なアプリケーション・デバイス、制御命令、及び制御パラメータが、
制御情報として記憶されたキーワードと関連する、請求項１９に記載のインタフェース。
【請求項２１】
前記システムからユーザへ情報を出力する出力デバイスを更に具備し、
前記システムは、前記検出された制御情報が未知か、曖昧か、不完全である場合、前記出力デバイスを介して、更なる情報を要求するように動作する、請求項１４に記載のインタフェース。
【請求項２２】
複数のアプリケーション・デバイスを具備する電気及び／又は電子システムを制御する方法であって、
該方法は、ユーザインタフェースによって実行され、
該方法は、
前記システムで一以上の口語のコマンドの形式の制御情報を検出することと、
前記検出された制御情報を識別し、
前記検出された制御情報が、曖昧か、曖昧でないかを、自動的に識別することと、
前記制御情報が曖昧でない場合において、対象アプリケーション・デバイスまたは、前記制御情報と関連する複数のアプリケーション・デバイスを自動的に識別することと、
前記制御情報が曖昧である場合において、
ａ）前記制御情報が複数のアプリケーション・デバイスに適用可能ならば、少なくとも１つの適用すべきアプリケーション・デバイスの選択、および、対象アプリケーション・デバイスの内部の複数の機能に適用可能ならば、適用すべき機能の選択、の表示をさせることと、
ｂ）前記制御情報が曖昧でなくなるような選択の標示を受信することと、
前記検出された制御情報に対応するコマンドを実行することと、を具備する方法。
【発明の詳細な説明】
【技術分野】
【０００１】
本発明はシステム、特に少なくとも１つのアプリケーションデバイスを有する電気及び／又は電子システムを制御する方法に関する。
【背景技術】
【０００２】
例えば、移動電話、ナビゲーションシステム、トラヒック情報システムなどの電気及び／又は電子システムを制御するには、特定の制御命令を入力するか、又は、特定の調整を実施するために、通常、ユーザは幾分精巧なメニュー構造を介して作業しなければならないことが必要とされる。
【０００３】
例えば、ユーザが移動電話のクロックタイムを設定しようとすれば、ユーザは先ずメニュー「調整」（Adjustments）の中から命令「クロック」（Clock）を選択しなければならない。ここで、このメニュー項目で提供される命令が表示され、ユーザが次にクロックタイムを設定可能であるようにその中から命令「クロック設定」（Set clock）を選択する。呼出音の音量または種類を設定することを意図すれば、それなりに複雑になる。
【０００４】
入力デバイスへ幾つかのアプリケーションが接続されている場合、即ち、例えば、ナビゲーションシステム、放送受信機、及び、移動電話用に１つの入力デバイスが同時使用される場合には、メニュー構造は更にもっと複雑になり、個別アプリケーションの操作は更に扱い難くなる。
【発明の概要】
【発明が解決しようとする課題】
【０００５】
本発明は、ユーザにとってシステムの使用を単純かつ容易にするシステムの制御方法を提供する目的のための基礎として用いられる。
【課題を解決するための手段】
【０００６】
本目的は請求項１に記載の方法によって達成される。本発明の好適な更なる展開および実施形態については従属請求項に記述される。
【０００７】
従って、本発明によれば、ユーザによって入力される制御情報項目は利用可能なアプリケーションデバイスによって解釈され、そこで、アプリケーションデバイスはこの解釈の結果に従って制御される。
【０００８】
従って、本発明によれば、ユーザは制御情報として、例えば、「ナビゲーション、ボーフム、メースマン通り、１０３」（Navigation;Bochum;Meesmannstr.;103）などの制御または宛先パラメータ、又は、例えば、「音量をさらに大きく」（Louder）、「ＷＤＲ２」、又は、「ミューラー」（Mueller）などの制御または宛先パラメータを伴った例えば「クロック設定」（Set clock）のような制御命令を発行する。入力される制御情報項目が、「ＷＤＲ２」または「ナビゲーション、ボーフム、メースマン通り、１０３」の場合のように完全であるならば、対応するアプリケーションデバイス、即ち、無線セットまたはナビゲーションシステムは適切に制御される。制御情報が「クロック設定」の場合のように曖昧ではないが不完全であるならば、ユーザは必要な調整パラメータを入力するように要求される。例えば「音量をさらに大きく」または「ミューラー」などの場合のように制御情報項目が曖昧であるならば、入力される制御情報項目は幾つかのアプリケーションによって処理されるので、ユーザは、対応する追加分を供給するように要求され、必要に応じて、入力の解釈に関して利用可能なオプションについて知らされる。
【０００９】
従って、本発明によれば、システムを制御する方法は、固定的に事前決定されたメニュー構造から切り離されて、ヒトの思考構造を考慮する。この場合のヒトの思考構造においては、例えば「私は音量を更に大きくして音楽を聞きたい」のような願望が常に第１のことであって、その次から、はじめて、これに続く目標への進路、即ち、放送受信機の音量調節を「音量をさらに大きく」に設定することについて考慮される。従って本発明による方法は、ユーザがユーザ自身の調整または制御願望をシステムへ入力することを可能にする。すると直ぐに、システムは、この調整または制御願望を実施する方法を自動的に発見し、これを実行する。
【００１０】
ユーザ入力を誤って識別することを防止するために、本発明の好適な実施形態においては、ユーザによって入力された制御情報は、肯定応答のアナウンスまたは表示として当該ユーザへ信号で戻され、その情報の幾つかの可能性を与える制御情報項目入力が選択リストとしてディスプレイされる。
【００１１】
本発明により提供されるユーザ入力の戻り信号伝送（signaling）は、一方において、入力情報項目が正しく認識されたことを保証し、もう一方において、曖昧な調整命令「音量をさらに大きく」の戻り信号伝送と共に、この命令に追加して、音量を上げるために設定可能な機能、即ち、例えば、「更に大きい呼出し音量」（Ringing tone louder）、「更に大きいトラヒック音量」（Traffic information messages louder）、「更に大きい放送再生音量」（Broadcast reproduction louder）「更に大きい警報音量」（Warning tones louder）等について同時に問い合わせることを可能にする。
【００１２】
確実には解釈できない入力制御情報が戻り信号伝送において適切にマークされるならば特に好都合である。
【００１３】
本発明の他の更なる展開は、要求された動作を実施可能にするために制御情報が完全であるかどうかをチェックし、完全でないならば、ユーザが制御情報を完全なものにするように要求されることを特徴とする。
【００１４】
本発明の好適な実施形態において、１つ又は複数のキーワードとして入力された制御情報は解釈の目的のために記憶されているキーワード、利用可能なアプリケーションデバイス、制御命令、および、制御情報として記憶されている制御パラメータと比較される。この場合、制御パラメータはリストとして適宜記憶される。
【００１５】
従って、本発明による方法は、システム内の個別アプリケーションデバイスによって決定されるシステムの可能な個別機能を、それぞれの場合において、完全なデータ記録として記憶する制御情報データベースに基づく。例えば、制御情報「ＷＤＲ２」を有するデータ記録はアプリケーション「放送受信機」（Broadcast receiver）および例として「局設定」（Set station）も有する。
【００１６】
影響されるアプリケーションデバイス及び各場合において命令の実行に必要な制御パラメータに関するダミーコードと共に制御命令がデータ記録として記憶される場合は特に好都合である。
【００１７】
以下の明細書において、本発明は例により説明され図面を参照する。
【図面の簡単な説明】
【００１８】
【図１】複数のアプリケーションデバイスを有し、本発明による方法によって制御され得る電子システムの図形で表わしたブロック図を示す図である。
【図２】スクリーン上における視覚的な戻り信号伝送の例を示す図である。
【図３】本発明による方法を示す単純化された図解のブロック図を示す図である。
【発明を実施するための形態】
【００１９】
図面に示す種々の図において、相互に対応する構成要素には同じ参照記号が用いられる。
【００２０】
図１に全く概略的に示すように、電気、及び／又は、電子システムは、１つ又は複数のアプリケーションデバイス１１．１、１１．２、・・・、１１．ｎが接続されたユーザインタフェース１０を有する。この配置構成において、ナビゲーションシステム、移動電話、交通情報ユニット、放送受信機、ＣＤプレーヤ、カセットレコーダ等はアプリケーションデバイス１１．ｉとして装備され得る。
【００２１】
個別アプリケーションデバイス１１．ｉへ制御情報を入力可能にするために、情報がキーボード１２を介して文字列として、マイクロホン１３を介して音声化された命令として、又は、ビデオカメラ１４を介して身振りとして入力可能であるように、キーボード１２、マイクロホン１３、及び／又は、ビデオカメラ１４が例えばユーザインタフェース１０へ接続される。キーボードには、個別キーに加えて、単一または多数の文字割当を備えた回転押しボタンも装備可能である。その回転押しボタンは、文字を選択および入力するために使用されてもよく、リストから用語を選択および入力するために使用されてもよく、また、ソフトキー、即ち、アプリケーションに応じて異なる入力機能が割り当てられ得るエレメントを選択するために使用されてもよい。
【００２２】
ユーザへ情報を出力することを可能にするために、例えば、ラウドスピーカ１５、及び／又は、スクリーン１６がユーザインタフェース１０へ接続される。このスクリーン１６は、触れることによって従来型のキー操作を実施する幾つかのボタン１７、１８、１９、２０を有する少なくとも部分的には、タッチスクリーンであり、また種々の異なる機能が、起動されるアプリケーションに応じてボタン１７、１８、１９、２０に割当て可能である。
【００２３】
図２に示すスクリーン１６の場合には、ボタン１７、１８、１９、及び、２０はそれぞれ移動電話、ナビゲーションシステム、交通情報ユニット、及び、補助機能を起動するために用いられる。
【００２４】
図３に示すように、ユーザは先ず、ステップＳ１１において起動されるシステムを制御するための制御情報を入力する。この場合の情報は目標入力、又は、その組み合わせの個別制御命令または制御パラメータで構成される。制御情報はユーザインタフェースの対応するデータベースに、関連アクティビティと共に記憶されているキーワードの形で入力される。
【００２５】
ステップＳ１１において制御情報が入力された後で、ステップＳ１２において先ず入力識別が実施され、次に、ステップＳ１３において可聴または視覚的な戻り信号が出力され、それにより、同時にユーザは、ステップ１４でユーザの入力を確認するように要求される。ステップＳ１２における入力識別の期間に完全な信頼性をもって入力が識別されなかったならば、入力識別の信頼性に関する情報項目、及び／又は、おそらく識別されたであろうキーワードのリストが戻り信号と共に出力され得る。
【００２６】
ステップＳ１２によって判定される入力識別の信頼度は色によって表示可能であり、例えば、緑、黄、赤によって信頼できる、多分信頼できる、信頼できないことを表示し、又は、マジックアイにより表示可能であり、この場合には、入力識別の信頼性はその中の強調された部分の大きさによって示され、或いは、これらの任意選択の組み合わせによって示される。マジックアイの場合には、例えば不確実な入力識別は赤い円形部分によって表示可能であり、その色はオレンジ色を経て黄色に変化し、識別の信頼度が向上すると共に緑に変化し、同時に、円形部分は楕円または円形セグメントを経て線または感嘆符の型に変化する。
【００２７】
次に、ユーザは、ステップＳ１４においてキーワードのリストの出力が完了し、それを確認して、先の入力を置き換える判断をすると、このリストの中から所望の新たな入力を選択してそれを確認する。
【００２８】
ステップＳ１４において入力が確認されると、命令はステップＳ１５において解釈され、そのために、キーワード又は複数のワードはユーザインタフェース１０のデータベース内に記憶されたキーワードと比較される。
【００２９】
ただし、ステップＳ１２における入力識別の後で、戻り信号伝送と確認を後で実施するために、ステップＳ１５における入力解釈に直接行くことも可能である。
【００３０】
ステップＳ１６において、先ず、入力されたキーワード、又は、それぞれ、入力された命令が既知であるかどうかが確かめられる。そうでない場合には、エラーメッセージがステップＳ１７において発生し、方法はステップＳ１１に戻る。命令が既知であれば、次に、ステップＳ１８において命令が明白かどうかのチェックが行われる。即ち、１つのアプリケーションにおいて１つの既知命令のみが実行されるかあるいは幾つかのアプリケーションで１つの既知命令のみが実行されるのかどうか、及び、１つの既知命令が１つのアプリケーションにおける幾つかの機能と関連するかどうかが確かめられる。このような場合には、即ち、命令が曖昧であるならば、ステップＳ１９においてユーザに問合せが出力され、このステップにおいて、同時に、この命令が適用可能な可能性のある機能が表示される。
【００３１】
入力中にユーザを援助し、ユーザを混乱させないために、表示の階層を考慮する必要がある。１つの制御命令が幾つかのアプリケーション、及び、１つ又は複数のアプリケーション内の幾つかの機能に適用可能であれば、先ずアプリケーションが、次に所望の機能が、更なる選択ステップにおいて選択されるように制御することが適切である。
【００３２】
入力された命令または入力された制御情報項目が明白であれば、ステップＳ２０において、命令を実行するために更なる情報が必要かどうかについてチェックが行われる。このような場合には、必要な追加情報を要求するために、対応する問合せがステップＳ２１においてユーザに出力される。更なる情報が必要とされない場合には、命令はステップＳ２２において実行される。
【００３３】
前述したように、当該命令が既知であるか（ステップＳ１６）、明白であるか（ステップＳ１８）、および、完全であるか（ステップＳ２０）どうかをチェックするために、ステップＳ１２における入力識別の直後にステップＳ１５において命令解釈が実施されるならば、入力の承認、及び／又は、他の可能性若しくは情報の入力を要求するために、ステップＳ１３に従って戻り信号がこれに後続する。
【００３４】
システムを制御する本発明による方法については、特定の例を参照して更に詳細にここで説明することとする。
【００３５】
システムがアプリケーションデバイス１１．ｉとして放送受信機を有し、ユーザが特定の局、例えば「ＷＤＲ２」を聴取することを望むならば、当該ユーザは、制御情報として、例えば「ＷＤＲ２」を入力することができる。次に、ユーザが、ステップＳ１３において戻り信号に後続する正しい入力識別をステップＳ１４において確認した場合には、命令「放送受信機スイッチオン」（Switch on broadcast receiver）及び「局ＷＤＲ２設定」（Set station WDR2）が命令またはキーワードデータベース内のキーワード「ＷＤＲ２」に関して決定される。制御情報として入力されるキーワード「ＷＤＲ２」はただ１つのアプリケーションデバイス、即ち放送受信機のみに割当て可能であり、ただ１つの機能、即ちこのアプリケーションデバイスにおける局選択にのみ割当て可能であり、従って１つの単一局を選定するだけであるので、制御情報は明白かつ完全であり、その結果として、対応する１つ又は複数の命令は、それ以上の問合せ無しにステップＳ２２において実行可能である。
【００３６】
システムが、アドレス帳と関連したナビゲーションシステムに加えて、対応する電話帳を備えた移動電話も有する場合には、アドレス帳、及び／又は、電話帳に記憶されている名前も、例えば制御情報として入力可能である。従って、例えば、名前「ミューラー」が制御情報として入力されると、システムは、Ｓ１２において、例えば、名前「ミューラー」だけでなく名前「モェーラー」（Moeller）及び「メーラー」（Mehler）も識別し、これらはステップＳ１３においてスクリーン上に示される。次に、ユーザは、ステップＳ１４において示されたこれらの名前から必要な名前を選出して承認することができる。
【００３７】
ステップＳ１５における命令解釈の間に、例えば、アドレス帳の住所および電話帳の電話番号が両方共「ミューラー」に割当てられていることを発見し、従って、システムは、電話接続を移動電話から「ミューラー」へ設定するか、又は、「ミューラー」の住宅又はオフィスへの道案内をナビゲーションシステムによって実施しなければならないことを認識する。従って、制御情報から導出可能な制御命令は明白でなく、その結果、どのアプリケーションが始動されるべきかの問い合わせがステップＳ１９において実施される。「ミューラー」の名前で、幾つかの電話番号が電話帳に記憶されているか、又は、幾つかの住所がアドレス帳に記憶されている場合には、移動電話またはナビゲーションシステムの選択後であっても、制御入力は完全でなく、更なる問合せが必要とされる。
【００３８】
命令情報が明白である場合、例えば、「ミューラー」のオフィスへの道案内が望まれることが明瞭であれば、ナビゲーションがステップＳ２２において直ちに始動し、アドレス帳からの「ミューラー」のオフィスの住所が目標アドレスとして用いられる。
【００３９】
更なる入力可能性は、例えば、「ナビゲーション」、「ボーフム」、「メースマン通り」及び「１０３」がキーワードとして入力された場合のように、所要のアプリケーションとアプリケーションが必要とする制御パラメータの両方が事前決定された順序に従ってキーワードとして入力された場合である。そのためには、キーワード「ナビゲーション」は、住所に関するダミーコード、即ち〈町名〉、〈街路名〉、〈家屋番号〉と関連付けるやり方で、データベースに記憶される。このやり方で構成される制御情報の入力なしに済ませることができるように、住所が任意の順序で入力可能であるように、それぞれの場合に、住所を表すキーワードは対応するダミーコードによって先行されることによって、この可能性は与えられる。この場合、制御情報は、例えば、次に示す形式で入力可能である。
「ナビゲーション」「街路名」「メースマン通り」「町名」「ボーフム」
【００４０】
従ってキーワード入力が、その意味を説明するキーワードによって先行または後続される場合、特にナビゲーションシステムの場合には、個別キーワードが説明されない場合に適切である固定された入力構造は省略可能である。
【００４１】
システムを制御する更なる可能性は、例えば、アクティブアプリケーションにおいて、即ち、例えば、放送受信機がスイッチオンの状態にある場合には、再生音量はキーワード「音量をさらに大きく」の入力に従って増加することを内容とする。この場合、キーワード「音量をさらに大きく」が明白な命令を指定しないのに、更なる追加情報が一切入力されなくても、簡単なため、アクティブアプリケーションのみが意図されているものと仮定する。
【００４２】
ただし、例えば放送受信機とナビゲーションシステムとの２つのアプリケーションが同時にアクティブであり、スクリーン１６における視覚的道案内情報の提供に加えて、例えば移動の指示アナウンスも行う場合には、キーワード「音量をさらに大きく」から導出される再生またはアナウンスの音量の増大命令はもはや明白でなく、従って、ユーザが更に音量の大きいラジオを聞くことを望むかどうか、又は、ユーザがラジオを聞きながら例えば道案内のアナウンスを明瞭に認識できるようにアナウンス音量を更に大きくすることを望むかどうかが明瞭になるように、ユーザが更なる情報を入力するように要求するためにプログラムはステップＳ１８においてステップＳ１９へジャンプする。
【００４３】
従って、関連したアプリケーションおよび機能は入力された制御情報に基づいてシステム自体によって制御命令データベースから取り出されるので、本発明によるシステムを制御する方法は、ユーザが長たらしい階層化メニューを介して作業する必要なしにシステムの各種アプリケーションデバイスを直接制御および調節することを可能にする。
【符号の説明】
【００４４】
１０    ユーザインタフェース
１１    アプリケーションデバイス
１２    キーボード
１３    マイクロホン
１４    ビデオカメラ
１５    ラウドスピーカ
１６    スクリーン
【図１】
0005536710.tif 000002
【図２】
0005536710.tif 000003
【図３】
0005536710.tif 000004